(57)【特許請求の範囲】
【請求項１】
部分受信用のデータ及び固定受信用のデータを含むＯＦＤＭ信号を、部分受信用セグメント領域及び固定受信用セグメント領域からなるセグメント構造の帯域にて送信するＯＦＤＭ信号送信装置において、
前記部分受信用のデータを変調して部分受信用データキャリアを生成すると共に、前記固定受信用のデータを変調して固定受信用データキャリアを生成するキャリア変調部と、
前記部分受信用セグメント領域と前記固定受信用セグメント領域の一部とからなる領域を部分受信帯域幅として、
前記キャリア変調部により生成された前記固定受信用データキャリアを、前記固定受信用セグメント領域のうち前記固定受信用セグメント領域の一部以外の領域に対応する第１の固定受信用データキャリア、及び前記固定受信用セグメント領域の一部に対応する第２の固定受信用データキャリアに分離する分離部と、
前記キャリア変調部により生成された前記部分受信用データキャリア及び前記分離部により分離された前記第２の固定受信用データキャリアに対し、周波数インターリーブを施すと共に、
前記分離部により分離された前記第１の固定受信用データキャリアに対し、周波数インターリーブを施すインターリーブ部と、
前記インターリーブ部により前記周波数インターリーブが施された前記部分受信用データキャリア及び前記第２の固定受信用データキャリアを、前記部分受信帯域幅の領域に設定するように、かつ、前記インターリーブ部により前記周波数インターリーブが施された前記第１の固定受信用データキャリアを、前記固定受信用セグメント領域のうち前記固定受信用セグメント領域の一部以外の領域に設定するように、ＯＦＤＭフレームを構成するフレーム化部と、
前記フレーム化部により構成された前記ＯＦＤＭフレームの信号をＩＦＦＴし、周波数領域の信号から時間領域の信号に変換するＩＦＦＴ部と、
前記ＩＦＦＴ部により変換された前記時間領域の信号を、前記部分受信用セグメント領域及び前記固定受信用セグメント領域からなるセグメント構造の帯域にて、送信アンテナを介して、前記ＯＦＤＭ信号を送信する送信部と、
を備えたことを特徴とするＯＦＤＭ信号送信装置。
【請求項２】
請求項１に記載のＯＦＤＭ信号送信装置において、
前記部分受信帯域幅に含まれる前記固定受信用セグメント領域の一部を、所定のセグメント位置を区切りとした領域、またはセグメント内の所定のキャリア位置を区切りとした領域とする、ことを特徴とするＯＦＤＭ信号送信装置。
【請求項３】
請求項１または２に記載のＯＦＤＭ信号送信装置において、
前記インターリーブ部による前記周波数インターリーブを、セグメント単位の周波数インターリーブまたはキャリア単位の周波数インターリーブとする、ことを特徴とするＯＦＤＭ信号送信装置。
【請求項４】
請求項１から３までのいずれか一項に記載のＯＦＤＭ信号送信装置において、
さらに、前記部分受信帯域幅に関する情報及び前記周波数インターリーブに関する情報を含むＴＭＣＣ信号を生成するＴＭＣＣ生成部を備え、
前記フレーム化部は、
前記ＴＭＣＣ生成部により生成された前記ＴＭＣＣ信号を含むＯＦＤＭフレームを構成する、ことを特徴とするＯＦＤＭ信号送信装置。
【請求項５】
請求項１から４までのいずれか一項に記載のＯＦＤＭ信号送信装置において、
複数の送信アンテナを備え、
前記複数の送信アンテナを介して送信された前記ＯＦＤＭ信号を受信するＯＦＤＭ信号受信装置との間でＭＩＭＯ伝送システムを構成するＯＦＤＭ信号送信装置。
【請求項６】
部分受信用のデータ及び固定受信用のデータを含むＯＦＤＭ信号を、部分受信用セグメント領域及び固定受信用セグメント領域からなるセグメント構造の帯域にて受信するＯＦＤＭ信号受信装置において、
前記部分受信用セグメント領域と前記固定受信用セグメント領域の一部とからなる領域を部分受信帯域幅として、
前記ＯＦＤＭ信号を受信する受信部と、
前記受信部により受信された前記ＯＦＤＭ信号に対し、前記部分受信帯域幅に対応するサイズにてＦＦＴし、時間領域の信号から周波数領域の信号に変換するＦＦＴ部と、
前記ＦＦＴ部により変換された前記周波数領域の信号を、伝送路特性を用いて復調し、前記部分受信帯域幅に対応するＯＦＤＭフレームの復調信号を生成する復調部と、
前記復調部により生成された前記ＯＦＤＭフレームの復調信号に対し、周波数デインターリーブを施すデインターリーブ部と、
前記デインターリーブ部により前記周波数デインターリーブが施された前記ＯＦＤＭフレームの復調信号から、前記部分受信用セグメント領域に対応するＯＦＤＭフレームの復調信号を分離する分離部と、
前記分離部により分離された前記部分受信用セグメント領域に対応するＯＦＤＭフレームの復調信号をデフレーム化し、前記部分受信用のデータのデータキャリアに対応する復調信号を生成するデフレーム化部と、
を備えたことを特徴とするＯＦＤＭ信号受信装置。
【請求項７】
請求項６に記載のＯＦＤＭ信号受信装置において、
前記部分受信帯域幅に含まれる前記固定受信用セグメント領域の一部を、所定のセグメント位置を区切りとした領域、またはセグメント内の所定のキャリア位置を区切りとした領域とする、ことを特徴とするＯＦＤＭ信号受信装置。
【請求項８】
請求項６または７に記載のＯＦＤＭ信号受信装置において、
前記デインターリーブ部による前記周波数デインターリーブを、セグメント単位の周波数デインターリーブまたはキャリア単位の周波数デインターリーブとする、ことを特徴とするＯＦＤＭ信号受信装置。
【請求項９】
請求項６から８までのいずれか一項に記載のＯＦＤＭ信号受信装置において、
さらに、前記ＦＦＴ部により変換された前記周波数領域の信号からＴＭＣＣ信号を抽出するＴＭＣＣ抽出部を備え、
前記デインターリーブ部は、
前記ＴＭＣＣ抽出部により抽出された前記ＴＭＣＣ信号に含まれる周波数インターリーブに関する情報に基づいて、前記ＯＦＤＭフレームの復調信号に対し、前記周波数デインターリーブを施す、ことを特徴とするＯＦＤＭ信号受信装置。
【請求項１０】
請求項６から９までのいずれか一項に記載のＯＦＤＭ信号受信装置において、
複数の受信アンテナを備え、
複数の送信アンテナを介して前記ＯＦＤＭ信号を送信するＯＦＤＭ信号送信装置との間でＭＩＭＯ伝送システムを構成するＯＦＤＭ信号受信装置。
【発明の詳細な説明】
【技術分野】
【０００１】
本発明は、周波数インターリーブを行うＯＦＤＭ信号送信装置、及び周波数デインターリーブを行うＯＦＤＭ信号受信装置に関する。
【背景技術】
【０００２】
従来、日本の現行の地上デジタル放送方式として、ＩＳＤＢ−Ｔ（Integrated Services Digital Broadcasting−Terrestrial）が用いられている（例えば非特許文献１を参照）。ＩＳＤＢ−Ｔでは、１つの放送波（チャンネル）に割り当てられる直交周波数分割多重（ＯＦＤＭ：Orthogonal Frequency Division Multiplexing）された複数のサブキャリアの周波数帯域が１３個のセグメントに分割される。
【０００３】
１３個のセグメントのうち１２個のセグメントが、固定受信向けのハイビジョン放送及び複数標準画質放送に用いられ、残りの１セグメントが、移動受信向けの放送に用いられる。これらの１３個のセグメントの周波数帯域において、同時に放送用のデータが送信される。
【０００４】
一方、現行の地上デジタル放送に代わる新たな次世代の地上デジタル放送の検討が進められている。次世代の地上デジタル放送では、家庭等の固定受信向けのために、従来のハイビジョン放送に代わり、３Ｄハイビジョン放送またはハイビジョンの１６倍の解像度を有するスーパーハイビジョン放送等のサービスを提供することが求められている。スーパーハイビジョン放送等のサービスでは、従来のハイビジョン放送よりも情報量が多い。
【０００５】
また、同様に移動受信向けのために、ハイビジョン級のサービスを提供することが求められている。これらの固定受信向け及び移動受信向けの２つのサービスを１つのチャンネルを用いて同時に提供する必要があることは、現行のＩＳＤＢ−Ｔと同様である。
【先行技術文献】
【非特許文献】
【０００６】
【非特許文献１】ＡＲＩＢ  ＳＴＤ−Ｂ３１、「地上デジタルテレビジョン放送の伝送方式」
【発明の概要】
【発明が解決しようとする課題】
【０００７】
図８は、ＩＳＤＢ−Ｔのセグメント構造を示す図である。横軸は周波数を示す。前述のとおり、ＩＳＤＢ−Ｔでは、１チャンネルが１３個のセグメントにより構成される。１３個のセグメントのうち１２個のセグメントが、固定受信向けの放送に用いられ、残りの１セグメントが、移動受信向け（部分受信向け）の放送に用いられる。つまり、ＩＳＤＢ−Ｔの部分受信は、１セグメント（帯域幅３０００／７＝４２８．５７・・・ｋＨｚ）で構成される。
【０００８】
１チャンネル内において、中央の部分受信向けの１個のセグメント領域を部分受信用セグメント領域αとし、当該部分受信用セグメント領域αの両側に配置された固定受信向けの１２個のセグメント領域を固定受信用セグメント領域βとする。
【０００９】
図８に示した固定受信用セグメント領域βに設定されるデータは、ＯＦＤＭ信号送信装置において、当該１２セグメント内で周波数インターリーブが施される。一方、部分受信用セグメント領域αに設定されるデータは、当該１セグメント内で周波数インターリーブ及び周波数キャリアランダマイズが施される。つまり、部分受信用セグメント領域αに設定されるデータは、他の階層の固定受信用セグメント領域βのような広い帯域を使用した周波数インターリーブが施されない。
【００１０】
このため、部分受信用セグメント領域αのＯＦＤＭ信号を受信するＯＦＤＭ信号受信装置においては、周波数インターリーブの効果が低く、受信特性が低下するという問題があった。
【００１１】
そこで、本発明は前記課題を解決するためになされたものであり、その目的は、ＩＳＤＢ−Ｔの部分受信において、周波数インターリーブの効果を向上させることができ、受信特性を改善可能なＯＦＤＭ信号送信装置及びＯＦＤＭ信号受信装置を提供することにある。
【課題を解決するための手段】
【００１２】
前記課題を解決するために、請求項１のＯＦＤＭ信号送信装置は、部分受信用のデータ及び固定受信用のデータを含むＯＦＤＭ信号を、部分受信用セグメント領域及び固定受信用セグメント領域からなるセグメント構造の帯域にて送信するＯＦＤＭ信号送信装置において、前記部分受信用のデータを変調して部分受信用データキャリアを生成すると共に、前記固定受信用のデータを変調して固定受信用データキャリアを生成するキャリア変調部と、前記部分受信用セグメント領域と前記固定受信用セグメント領域の一部とからなる領域を部分受信帯域幅として、前記キャリア変調部により生成された前記固定受信用データキャリアを、前記固定受信用セグメント領域のうち前記固定受信用セグメント領域の一部以外の領域に対応する第１の固定受信用データキャリア、及び前記固定受信用セグメント領域の一部に対応する第２の固定受信用データキャリアに分離する分離部と、前記キャリア変調部により生成された前記部分受信用データキャリア及び前記分離部により分離された前記第２の固定受信用データキャリアに対し、周波数インターリーブを施すと共に、前記分離部により分離された前記第１の固定受信用データキャリアに対し、周波数インターリーブを施すインターリーブ部と、前記インターリーブ部により前記周波数インターリーブが施された前記部分受信用データキャリア及び前記第２の固定受信用データキャリアを、前記部分受信帯域幅の領域に設定するように、かつ、前記インターリーブ部により前記周波数インターリーブが施された前記第１の固定受信用データキャリアを、前記固定受信用セグメント領域のうち前記固定受信用セグメント領域の一部以外の領域に設定するように、ＯＦＤＭフレームを構成するフレーム化部と、前記フレーム化部により構成された前記ＯＦＤＭフレームの信号をＩＦＦＴし、周波数領域の信号から時間領域の信号に変換するＩＦＦＴ部と、前記ＩＦＦＴ部により変換された前記時間領域の信号を、前記部分受信用セグメント領域及び前記固定受信用セグメント領域からなるセグメント構造の帯域にて、送信アンテナを介して、前記ＯＦＤＭ信号を送信する送信部と、を備えたことを特徴とする。
【００１３】
また、請求項２のＯＦＤＭ信号送信装置は、請求項１に記載のＯＦＤＭ信号送信装置において、前記部分受信帯域幅に含まれる前記固定受信用セグメント領域の一部を、所定のセグメント位置を区切りとした領域、またはセグメント内の所定のキャリア位置を区切りとした領域とする、ことを特徴とする。
【００１４】
また、請求項３のＯＦＤＭ信号送信装置は、請求項１または２に記載のＯＦＤＭ信号送信装置において、前記インターリーブ部による前記周波数インターリーブを、セグメント単位の周波数インターリーブまたはキャリア単位の周波数インターリーブとする、ことを特徴とする。
【００１５】
また、請求項４のＯＦＤＭ信号送信装置は、請求項１から３までのいずれか一項に記載のＯＦＤＭ信号送信装置において、さらに、前記部分受信帯域幅に関する情報及び前記周波数インターリーブに関する情報を含むＴＭＣＣ信号を生成するＴＭＣＣ生成部を備え、前記フレーム化部が、前記ＴＭＣＣ生成部により生成された前記ＴＭＣＣ信号を含むＯＦＤＭフレームを構成する、ことを特徴とする。
【００１６】
また、請求項５のＯＦＤＭ信号送信装置は、請求項１から４までのいずれか一項に記載のＯＦＤＭ信号送信装置において、複数の送信アンテナを備え、前記複数の送信アンテナを介して送信された前記ＯＦＤＭ信号を受信するＯＦＤＭ信号受信装置との間でＭＩＭＯ伝送システムを構成する、ことを特徴とする。
【００１７】
さらに、請求項６のＯＦＤＭ信号受信装置は、部分受信用のデータ及び固定受信用のデータを含むＯＦＤＭ信号を、部分受信用セグメント領域及び固定受信用セグメント領域からなるセグメント構造の帯域にて受信するＯＦＤＭ信号受信装置において、前記部分受信用セグメント領域と前記固定受信用セグメント領域の一部とからなる領域を部分受信帯域幅として、前記ＯＦＤＭ信号を受信する受信部と、前記受信部により受信された前記ＯＦＤＭ信号に対し、前記部分受信帯域幅に対応するサイズにてＦＦＴし、時間領域の信号から周波数領域の信号に変換するＦＦＴ部と、前記ＦＦＴ部により変換された前記周波数領域の信号を、伝送路特性を用いて復調し、前記部分受信帯域幅に対応するＯＦＤＭフレームの復調信号を生成する復調部と、前記復調部により生成された前記ＯＦＤＭフレームの復調信号に対し、周波数デインターリーブを施すデインターリーブ部と、前記デインターリーブ部により前記周波数デインターリーブが施された前記ＯＦＤＭフレームの復調信号から、前記部分受信用セグメント領域に対応するＯＦＤＭフレームの復調信号を分離する分離部と、前記分離部により分離された前記部分受信用セグメント領域に対応するＯＦＤＭフレームの復調信号をデフレーム化し、前記部分受信用のデータのデータキャリアに対応する復調信号を生成するデフレーム化部と、を備えたことを特徴とする。
【００１８】
また、請求項７のＯＦＤＭ信号受信装置は、請求項６に記載のＯＦＤＭ信号受信装置において、前記部分受信帯域幅に含まれる前記固定受信用セグメント領域の一部を、所定のセグメント位置を区切りとした領域、またはセグメント内の所定のキャリア位置を区切りとした領域とする、ことを特徴とする。
【００１９】
また、請求項８のＯＦＤＭ信号受信装置は、請求項６または７に記載のＯＦＤＭ信号受信装置において、前記デインターリーブ部による前記周波数デインターリーブを、セグメント単位の周波数デインターリーブまたはキャリア単位の周波数デインターリーブとする、ことを特徴とする。
【００２０】
また、請求項９のＯＦＤＭ信号受信装置は、請求項６から８までのいずれか一項に記載のＯＦＤＭ信号受信装置において、さらに、前記ＦＦＴ部により変換された前記周波数領域の信号からＴＭＣＣ信号を抽出するＴＭＣＣ抽出部を備え、前記デインターリーブ部が、前記ＴＭＣＣ抽出部により抽出された前記ＴＭＣＣ信号に含まれる周波数インターリーブに関する情報に基づいて、前記ＯＦＤＭフレームの復調信号に対し、前記周波数デインターリーブを施す、ことを特徴とする。
【００２１】
また、請求項１０のＯＦＤＭ信号受信装置は、請求項６から９までのいずれか一項に記載のＯＦＤＭ信号受信装置において、複数の受信アンテナを備え、複数の送信アンテナを介して前記ＯＦＤＭ信号を送信するＯＦＤＭ信号送信装置との間でＭＩＭＯ伝送システムを構成する、ことを特徴とする。
【発明の効果】
【００２２】
以上のように、本発明によれば、広帯域な周波数インターリーブを行うことで、ＩＳＤＢ−Ｔの部分受信において、周波数インターリーブの効果を向上させることができ、受信特性を改善することが可能となる。
【図面の簡単な説明】
【００２３】
【図１】本発明の実施形態によるＯＦＤＭ信号送信装置の構成例を示すブロック図である。
【図２】本発明の実施形態による部分受信用のＯＦＤＭ信号受信装置の構成例を示すブロック図である。
【図３】本発明の他の実施形態によるＯＦＤＭ信号送信装置の構成例を示すブロック図である。
【図４】本発明の他の実施形態による部分受信用のＯＦＤＭ信号受信装置の構成例を示すブロック図である。
【図５】次世代の地上デジタル放送における３３セグメント構造及び部分受信帯域幅γ等の例を示す図である。
【図６】実施例２におけるセグメント単位の周波数インターリーブの例を示す図である。
【図７】実施例３におけるキャリア単位の周波数インターリーブの例を示す図である。
【図８】ＩＳＤＢ−Ｔのセグメント構造を示す図である。
【発明を実施するための形態】
【００２４】
以下、本発明を実施するための形態について図面を用いて詳細に説明する。本発明は、部分受信用セグメント領域αと固定受信用セグメント領域βの一部とからなる帯域幅（部分受信帯域幅γ）内に設定されるデータを、周波数インターリーブ及び周波数デインターリーブの対象とすることを特徴とする。固定受信用セグメント領域βの一部とは、例えば、所定のセグメント位置を区切りとした領域、セグメント内の所定のキャリア位置を区切りとした領域をいう。
【００２５】
具体的には、部分受信用のデータの送受信について、ＯＦＤＭ信号送信装置は、部分受信帯域幅γ内に設定されるデータを対象として、周波数インターリーブを施し、ＯＦＤＭ信号の放送波を送信する。ＯＦＤＭ信号受信装置は、ＯＦＤＭ信号の放送波を受信し、当該部分受信帯域幅γ内に設定されたデータを対象として、周波数デインターリーブを施し、元の部分受信用のデータを復元する。
【００２６】
これにより、広帯域な周波数インターリーブが行われ、ＩＳＤＢ−Ｔの部分受信において、周波数インターリーブの効果を向上させることができ、受信特性を改善することが可能となる。
【００２７】
〔３３セグメント構造及び部分受信帯域幅γ等〕
図５は、次世代の地上デジタル放送における３３セグメント構造及び部分受信帯域幅γ等の例を示す図である。横軸は周波数を示す。この３３個のセグメントからなる構造は、現在検討中である。
【００２８】
次世代の地上デジタル放送では、１チャンネルあたり６ＭＨｚの帯域を３６分割した帯域幅（６０００／３６＝１６６．６６・・・ｋＨｚ）を１セグメントとし、３６セグメントのうち、３３セグメントまたは３５セグメントを使用することが検討されている。
【００２９】
図５には、階層合成された３３個のセグメント構造において、１チャンネルの帯域の中心に３セグメントの部分受信用セグメント領域αが配置されている。また、当該部分受信用セグメント領域αの両側に、それぞれ１５セグメントの固定受信用セグメント領域βが配置されている。
【００３０】
３セグメントの部分受信用セグメント領域αと、固定受信用セグメント領域βのうち、部分受信用セグメント領域αの両側に配置された６セグメントの固定受信用領域β２とからなる帯域を、部分受信帯域幅γとする。この部分受信帯域幅γに設定されるデータが、周波数インターリーブ及び周波数デインターリーブの対象となる。尚、部分受信帯域幅γとしては、図５の例のように、セグメントを単位として所定のセグメント位置を区切りとした領域が設定される場合もあるし、キャリアを単位としてセグメント内の所定のキャリア位置を区切りとした領域が設定される場合もある。
【００３１】
図５では、部分受信帯域幅γはセグメントを単位として設定されており、そのセグメント数は９（＝３６／４）である。この部分受信帯域幅γのセグメント数は、後述する部分受信用のＯＦＤＭ信号受信装置において、１チャンネル受信時の１／４のＦＦＴポイント数で受信可能となる数に相当する。つまり、後述する部分受信用のＯＦＤＭ信号受信装置は、１チャンネル（６ＭＨｚ帯域幅）全てのＯＦＤＭ信号の放送波を受信する必要はなく、ＦＦＴポイント数を減らした復調が可能である。
【００３２】
固定受信用セグメント領域βのうち、固定受信用領域β２以外を固定受信用領域β１とする。つまり、固定受信用セグメント領域βは、チャンネルの端側の固定受信用領域β１、及び部分受信側の固定受信用領域β２からなる。
【００３３】
〔ＯＦＤＭ信号送信装置〕
まず、本発明の実施形態によるＯＦＤＭ信号送信装置について説明する。図１は、本発明の実施形態によるＯＦＤＭ信号送信装置の構成例を示すブロック図である。このＯＦＤＭ信号送信装置１−１は、送信アンテナ１０、キャリア変調部１１，１２、分離部１３、インターリーブ部１４，１５、フレーム化部１６、ＩＦＦＴ部１７及び送信部１８を備えている。図１には、本発明に直接関連する構成部及びデータのみが示されており、直接関連しない構成部及びデータは省略してある。後述する図２〜図４についても同様である。
【００３４】
キャリア変調部１１は、部分受信用のデータＡを入力し、データＡを、予め設定された変調方式のパラメータにて変調し、データキャリア（部分受信用データキャリア）ａをインターリーブ部１４に出力する。データＡは、図５に示した部分受信用セグメント領域αに対応するが、後述するインターリーブ部１４により、必ずしも部分受信用セグメント領域αの帯域にて送信されるとは限らない。
【００３５】
キャリア変調部１２は、固定受信用のデータＢを入力し、データＢを、予め設定された変調方式のパラメータにて変調し、データキャリア（固定受信用データキャリア）ｂを分離部１３に出力する。データキャリアｂは、図５に示した固定受信用セグメント領域βに対応するが、後述するインターリーブ部１４により、必ずしも固定受信用セグメント領域βの帯域にて送信されるとは限らない。
【００３６】
分離部１３は、キャリア変調部１２からデータキャリアｂを入力し、予め設定された分離規則に従い、データキャリアｂをデータキャリアｂ１及びデータキャリアｂ２に分離する。そして、分離部１３は、データキャリアｂ１をインターリーブ部１５に出力すると共に、データキャリアｂ２をインターリーブ部１４に出力する。
【００３７】
データキャリアｂ１は、図５に示したチャンネルの端側の固定受信用領域β１に対応し、固定受信用領域β１の帯域にて送信される。データキャリアｂ２は、図５に示した部分受信側の固定受信用領域β２に対応するが、後述するインターリーブ部１４により、必ずしも固定受信用領域β２の帯域にて送信されるとは限らない。
【００３８】
分離規則は、固定受信用セグメント領域βに対応するデータキャリアｂを、固定受信用領域β１に対応するデータキャリアｂ１及び固定受信用領域β２に対応するデータキャリアｂ２に分離する際の、分離対象の固定受信用領域β２を特定するための情報が予め設定されている。具体的には、分離規則は、固定受信用領域β２のセグメント数、位置、セグメント番号、帯域等を定義した情報である。
【００３９】
インターリーブ部１４は、キャリア変調部１１からデータキャリアａを入力すると共に、分離部１３からデータキャリアｂ２を入力する。そして、インターリーブ部１４は、予め設定されたインターリーブ規則に従い、部分受信用セグメント領域αに対応するデータキャリアａ及び固定受信用領域β２に対応するデータキャリアｂ２に対し、周波数インターリーブ等のインターリーブを施す。インターリーブ部１４は、インターリーブ後のデータキャリア（ａ＋ｂ２）＾をフレーム化部１６に出力する。
【００４０】
インターリーブ規則は、インターリーブの種類、対象、位置、内容等を定義した情報であり、予め設定されている。
【００４１】
つまり、インターリーブ部１４は、図５に示した部分受信帯域幅γ内の部分受信用セグメント領域α及び固定受信用領域β２のセグメントに対応するデータキャリアａ，ｂ２に対し、周波数インターリーブ等を施す。
【００４２】
尚、インターリーブ部１４は、周波数インターリーブに加え、時間インターリーブ、ビットインターリーブ等の他の処理を行うようにしてもよい。
【００４３】
インターリーブ部１５は、分離部１３からデータキャリアｂ１を入力し、予め設定されたインターリーブ規則に従い、固定受信用領域β１に対応するデータキャリアｂ１に対し、周波数インターリーブ等のインターリーブを施す。そして、インターリーブ部１５は、インターリーブ後のデータキャリアｂ１＾をフレーム化部１６に出力する。
【００４４】
フレーム化部１６は、インターリーブ部１４からデータキャリア（ａ＋ｂ２）＾を入力すると共に、インターリーブ部１５からデータキャリアｂ１＾を入力する。そして、フレーム化部１６は、データキャリア（ａ＋ｂ２）＾等を部分受信帯域幅γの部分受信用セグメント領域α及び固定受信用領域β２に設定するように、かつ、データキャリアｂ１＾等を固定受信用領域β１に設定するように、伝送路推定用のパイロット信号等と共にＯＦＤＭフレームを構成する。フレーム化部１６は、ＯＦＤＭフレームの信号をＩＦＦＴ部１７に出力する。
【００４５】
ＩＦＦＴ部１７は、フレーム化部１６からＯＦＤＭフレームの信号を入力する。そして、ＩＦＦＴ部１７は、ＯＦＤＭフレームの信号（部分受信用セグメント領域α及び固定受信用セグメント領域βに対応するＯＦＤＭフレームのキャリア位置及びシンボル位置の信号）をＩＦＦＴし、周波数領域の信号から時間領域の信号に変換する。ＩＦＦＴ部１７は、時間領域の信号を送信部１８に出力する。
【００４６】
送信部１８は、ＩＦＦＴ部１７から時間領域の信号を入力し、時間領域の信号に対し、ＧＩ（ガードインターバル）付加、Ｄ／Ａ変換、ＬＦＰ（ローパスフィルタ）によるフィルタ処理、周波数変換処理等を施す。そして、送信部１８は、ＯＦＤＭ信号の放送波を、図５に示した部分受信用セグメント領域α及び固定受信用セグメント領域βの帯域にて、送信アンテナ１０を介して送信する。
【００４７】
尚、周波数インターリーブの方法は、乱数を用いてもよいし、ある規則に準じた手法を用いてもよい。また、図１に示した構成は、図５に示した部分受信及び固定受信の２階層の送受信を実現するものであるが、系統を１つ増やすことで、３階層の送受信を実現することができる。
【００４８】
以上のように、本発明の実施形態によるＯＦＤＭ信号送信装置１−１によれば、分離部１３は、データキャリアｂをデータキャリアｂ１及びデータキャリアｂ２に分離するようにした。そして、インターリーブ部１４は、部分受信帯域幅γ内の部分受信用セグメント領域α及び固定受信用領域β２に対応するデータキャリアａ，ｂ２に対し、周波数インターリーブ等を施すようにした。
【００４９】
これにより、後述する部分受信用のＯＦＤＭ信号受信装置は、部分受信帯域幅γ内で周波数インターリーブ等が施された放送波を受信し、部分受信帯域幅γ内で周波数デインターリーブを行うことで、元の部分受信用のデータＡを復元することができる。
【００５０】
したがって、広帯域な周波数インターリーブを行うことで、ＩＳＤＢ−Ｔの部分受信において、周波数インターリーブの効果を向上させることができ、受信特性を改善することが可能となる。
【００５１】
〔ＯＦＤＭ信号受信装置〕
次に、本発明の実施形態による部分受信用のＯＦＤＭ信号受信装置について説明する。図２は、本発明の実施形態による部分受信用のＯＦＤＭ信号受信装置の構成例を示すブロック図である。このＯＦＤＭ信号受信装置２−１は、受信アンテナ２０、受信部２１、ＦＦＴ部２２、復調部２３、デインターリーブ部２４、分離部２５及びデフレーム化部２６を備えている。
【００５２】
受信部２１は、図１に示した送信部１８に対応し、ＯＦＤＭ信号送信装置１−１からのＯＦＤＭ信号の放送波を、受信アンテナ２０を介して受信する。そして、受信部２１は、受信信号に対し、周波数変換、Ａ／Ｄ変換、ＧＩ除去等の処理を施し、ＯＦＤＭ信号をＦＦＴ部２２に出力する。
【００５３】
ＦＦＴ部２２は、図１に示したＩＦＦＴ部１７に対応し、受信部２１からＯＦＤＭ信号を入力する。そして、ＦＦＴ部２２は、ＯＦＤＭ信号に対し、部分受信帯域幅γ（部分受信用セグメント領域α及び固定受信用領域β２）に対応するサイズにてＦＦＴし、時間領域の信号から周波数領域の信号に変換する。これにより、部分受信用セグメント領域α及び固定受信用領域β２の周波数領域の信号が得られる。
【００５４】
ＦＦＴ部２２は、周波数領域の信号（部分受信用セグメント領域α及び固定受信用領域β２に設定されたＯＦＤＭフレームのキャリア位置及びシンボル位置の信号）を復調部２３に出力する。
【００５５】
復調部２３は、ＦＦＴ部２２から周波数領域の信号を入力し、周波数領域の信号を、図示しないチャネル推定部により推定された伝送路特性を用いて復調（等化）し、ＯＦＤＭフレームの復調信号（部分受信用セグメント領域α及び固定受信用領域β２の復調信号）を生成する。復調部２３は、ＯＦＤＭフレームの復調信号をデインターリーブ部２４に出力する。
【００５６】
デインターリーブ部２４は、図１に示したインターリーブ部１４に対応し、復調部２３からＯＦＤＭフレームの復調信号を入力する。そして、デインターリーブ部２４は、復調信号に対し、予め設定されたデインターリーブ規則に従い、インターリーブの逆の処理、すなわち周波数デインターリーブ等のデインターリーブを施す。デインターリーブ部２４は、デインターリーブ後のＯＦＤＭフレームの復調信号を分離部２５に出力する。
【００５７】
デインターリーブ後のＯＦＤＭフレームの復調信号は、部分受信用セグメント領域αのデータキャリアａに対応するＯＦＤＭフレームの復調信号、及び固定受信用領域β２のデータキャリアｂ２に対応するＯＦＤＭフレームの復調信号である。
【００５８】
デインターリーブ規則は、前述のインターリーブ規則に対して逆の規則である。具体的には、デインターリーブ規則は、デインターリーブの種類、対象、位置、内容等を定義した情報であり、予め設定されている。
【００５９】
分離部２５は、デインターリーブ部２４からデインターリーブ後のＯＦＤＭフレームの復調信号を入力する。そして、分離部２５は、予め設定された分離規則に従い、ＯＦＤＭフレームの復調信号から、固定受信用領域β２以外の領域である部分受信用セグメント領域αのデータキャリアａに対応するＯＦＤＭフレームの復調信号を分離する。分離部２５は、部分受信用セグメント領域αのデータキャリアａに対応するＯＦＤＭフレームの復調信号をデフレーム化部２６に出力する。
【００６０】
分離規則は、前述のとおり、固定受信用領域β２を特定するための情報が予め設定されている。具体的には、分離規則は、固定受信用領域β２のセグメント数、位置、セグメント番号、帯域等を定義した情報である。分離規則により、部分受信用セグメント領域α及び固定受信用領域β２から部分受信用セグメント領域αを分離することができる。ＯＦＤＭ信号受信装置２−１は、ＯＦＤＭ信号送信装置１−１が使用する分離規則と同じ分離規則を使用する。
【００６１】
デフレーム化部２６は、図１に示したフレーム化部１６に対応し、分離部２５から部分受信用セグメント領域αのデータキャリアａに対応するＯＦＤＭフレームの復調信号を入力する。そして、デフレーム化部２６は、部分受信用セグメント領域αのデータキャリアａに対応するＯＦＤＭフレームの復調信号をデフレーム化し、部分受信用セグメント領域αのデータキャリアａに対応する復調信号ａ’を生成して出力する。
【００６２】
以上のように、本発明の実施形態によるＯＦＤＭ信号受信装置２−１によれば、ＯＦＤＭ信号送信装置１−１からＯＦＤＭ信号の放送波を受信し、ＦＦＴ部２２は、ＯＦＤＭ信号に対し、部分受信用セグメント領域α及び固定受信用領域β２に対応するサイズにてＦＦＴし、部分受信用セグメント領域α及び固定受信用領域β２の周波数領域の信号を生成するようにした。
【００６３】
復調部２３は、周波数領域の信号を復調（等化）し、デインターリーブ部２４は、ＯＦＤＭフレームの復調信号に対し、周波数デインターリーブ等のデインターリーブを施す。
【００６４】
分離部２５は、デインターリーブ後のＯＦＤＭフレームの復調信号から、部分受信用セグメント領域αのデータキャリアａに対応するＯＦＤＭフレームの復調信号を分離する。デフレーム化部２６は、部分受信用セグメント領域αのデータキャリアａに対応するＯＦＤＭフレームの復調信号をデフレーム化し、データキャリアａに対応する復調信号ａ’を生成する。
【００６５】
これにより、広帯域な周波数インターリーブが行われたＯＦＤＭ信号の放送波を受信し、広帯域な周波数デインターリーブを行うことで、ＩＳＤＢ−Ｔの部分受信において、周波数インターリーブの効果を向上させることができ、受信特性を改善することが可能となる。
【００６６】
以下、図１に示したＯＦＤＭ信号送信装置１−１及び図２に示したＯＦＤＭ信号受信装置２−１について、実施例１〜３を挙げて具体的に説明する。
【００６７】
実施例１は、部分受信帯域幅γのセグメントに設定されるデータに対し、周波数インターリーブを施す例である。実施例２は、部分受信帯域幅γのセグメントに設定されるデータに対し、セグメント単位の周波数インターリーブを施す例である。実施例３は、部分受信帯域幅γのセグメントに設定されるデータに対し、キャリア単位の周波数インターリーブを施す例である。
【００６８】
〔実施例１〕
まず、実施例１について説明する。前述のとおり、実施例１は、部分受信帯域幅γのセグメントに設定されるデータに対し、周波数インターリーブを施す例である。実施例１の周波数インターリーブは、セグメント単位、キャリア単位、キャリアローテーション等を含む広い概念である。
【００６９】
図５に示したとおり、部分受信用セグメント領域αのセグメント数を３とし、固定受信用領域β２のセグメント数を６とした合計９セグメントの部分受信帯域幅γが予め設定されているものとする。
【００７０】
（送信側／実施例１）
実施例１のインターリーブ規則には、インターリーブの種類として周波数インターリーブが予め設定されている。また、インターリーブ部１４について、周波数インターリーブの対象として部分受信用セグメント領域αの３セグメント及び固定受信用領域β２の６セグメントからなる部分受信帯域幅γの合計９セグメント、各セグメントの位置、内容等の各種情報が予め設定されている。また、インターリーブ部１５について、周波数インターリーブの対象として固定受信用領域β１の２４セグメント、各セグメントの位置、内容等の各種情報が予め設定されている。
【００７１】
図１に示したＯＦＤＭ信号送信装置１−１において、インターリーブ部１４は、このインターリーブ規則に従い、部分受信帯域幅γの９セグメントのデータキャリアａ，ｂ２に対し、周波数インターリーブを施す。
【００７２】
インターリーブ部１５は、このインターリーブ規則に従い、固定受信用領域β１の２４セグメントのデータキャリアｂ１に対し、周波数インターリーブを施す。
【００７３】
（受信側／実施例１）
図２に示したＯＦＤＭ信号受信装置２−１の受信部２１は、実施例１のＯＦＤＭ信号送信装置１−１からＯＦＤＭ信号の放送波を受信する。
【００７４】
実施例１のデインターリーブ規則は、実施例１のインターリーブ規則に対応し、デインターリーブの種類として周波数デインターリーブが予め設定されている。また、周波数デインターリーブの対象として部分受信用セグメント領域αの３セグメント及び固定受信用領域β２の６セグメントからなる部分受信帯域幅γの合計９セグメント、各セグメントの位置、内容等の各種情報が予め設定されている。
【００７５】
デインターリーブ部２４は、このデインターリーブ規則に従い、部分受信用セグメント領域α及び固定受信用領域β２の復調信号に対し、周波数デインターリーブを施す。これにより、部分受信用セグメント領域αのデータキャリアａに対応するＯＦＤＭフレームの復調信号及び固定受信用領域β２のデータキャリアｂ２に対応するＯＦＤＭフレームの復調信号が生成される。
【００７６】
以上のように、実施例１によれば、部分受信用セグメント領域α及び固定受信用領域β２からなる部分受信帯域幅γのセグメントを周波数インターリーブ及び周波数デインターリーブの対象とするようにした。これにより、従来よりも広帯域なセグメントを対象とするから、周波数インターリーブの効果を向上させることができ、受信特性を改善することが可能となる。
【００７７】
〔実施例２〕
次に、実施例２について説明する。前述のとおり、実施例２は、部分受信帯域幅γのセグメントに設定されるデータに対し、セグメント単位の周波数インターリーブを施す例である。部分受信帯域幅γは、実施例１と同様に、図５に示したとおりとする。
【００７８】
（送信側／実施例２）
実施例２のインターリーブ規則には、インターリーブの種類としてセグメント単位の周波数インターリーブが予め設定されている。また、インターリーブ部１４について、周波数インターリーブの対象として部分受信帯域幅γのセグメント、位置、内容等の各種情報が予め設定されている。また、インターリーブ部１５について、周波数インターリーブの対象として固定受信用領域β１のセグメント、位置、内容等の各種情報が予め設定されている。
【００７９】
図１に示したＯＦＤＭ信号送信装置１−１において、インターリーブ部１４は、このインターリーブ規則に従い、部分受信帯域幅γの９セグメントのデータキャリアａ，ｂ２に対し、セグメント単位に周波数インターリーブを施す。
【００８０】
インターリーブ部１５は、このインターリーブ規則に従い、固定受信用領域β１の２４セグメントのデータキャリアｂ１に対し、セグメント単位に周波数インターリーブを施す。
【００８１】
図６は、実施例２におけるセグメント単位の周波数インターリーブの例を示す図である。図６（１）は、周波数インターリーブ前のセグメント配置を示し、図６（２）は、周波数インターリーブ後のセグメント配置を示す。＃はセグメント番号を示す。
【００８２】
図６（１）に示すように、周波数インターリーブ前において、部分受信帯域幅γ内の部分受信用セグメント領域αには、中央にセグメント＃０、中央の左側（周波数が低い側）にセグメント＃１、中央の右側（周波数が高い側）にセグメント＃２が配置されている。部分受信帯域幅γ内の固定受信用領域β２には、部分受信用セグメント領域αの左側に、低い周波数から高い周波数へ向けて、セグメント＃７，＃５，＃３が配置されている。また、部分受信用セグメント領域αの右側に、セグメント＃４，＃６，＃８が配置されている。
【００８３】
部分受信帯域幅γ以外の固定受信用領域β１には、部分受信帯域幅γの左側に、低い周波数から高い周波数へ向けて、セグメント＃３３，＃３１，・・・，＃１３，＃１１が配置されている。また、部分受信帯域幅γの右側に、セグメント＃１０，＃１２，・・・，＃３０，＃３２が配置されている。
【００８４】
インターリーブ部１４におけるインターリーブ規則に従い、部分受信帯域幅γの９セグメントを対象としたセグメント単位の周波数インターリーブにより、図６（１）に示した部分受信帯域幅γのセグメント配置は、図６（２）に示すセグメント配置に変わる。
【００８５】
図６（２）に示すように、周波数インターリーブ後において、部分受信帯域幅γ内の部分受信用セグメント領域αには、中央にセグメント＃０、中央の左側にセグメント＃６、中央の右側にセグメント＃４が配置される。部分受信帯域幅γ内の固定受信用領域β２には、部分受信用セグメント領域αの左側に、低い周波数から高い周波数へ向けて、セグメント＃１，＃３，＃７が配置される。また、部分受信用セグメント領域αの右側に、セグメント＃５，＃２，＃８が配置される。
【００８６】
また、インターリーブ部１５におけるインターリーブ規則に従い、固定受信用領域β１の２４セグメントを対象としたセグメント単位の周波数インターリーブにより、図６（１）に示した固定受信用領域β１のセグメント配置は、図６（２）に示すセグメント配置に変わる。
【００８７】
図６（２）に示すように、周波数デインターリーブ後において、固定受信用領域β１には、部分受信帯域幅γの左側に、低い周波数から高い周波数へ向けて、セグメント＃３３，＃１９，・・・，＃３２，＃１８が配置される。また、部分受信帯域幅γの右側に、セグメント＃３０，＃２０，・・・，＃２１，＃３１が配置される。
【００８８】
（受信側／実施例２）
図２に示したＯＦＤＭ信号受信装置２−１の受信部２１は、実施例２のＯＦＤＭ信号送信装置１−１からＯＦＤＭ信号の放送波を受信する。
【００８９】
実施例２のデインターリーブ規則は、実施例２のインターリーブ規則に対応し、デインターリーブの種類としてセグメント単位の周波数デインターリーブが予め設定されている。また、周波数デインターリーブの対象として、部分受信帯域幅γのセグメント、位置、内容等の各種情報が予め設定されている。
【００９０】
デインターリーブ部２４は、このデインターリーブ規則に従い、部分受信用セグメント領域α及び固定受信用領域β２の復調信号に対し、セグメント単位に周波数デインターリーブを施す。これにより、部分受信用セグメント領域αのデータキャリアａに対応するＯＦＤＭフレームの復調信号及び固定受信用領域β２のデータキャリアｂ２に対応するＯＦＤＭフレームの復調信号が生成される。
【００９１】
図６の例では、デインターリーブ部２４における前述のデインターリーブ規則に従い、部分受信帯域幅γの９セグメントを対象としたセグメント単位の周波数デインターリーブにより、図６（２）に示した部分受信帯域幅γのセグメント配置は、図６（１）に示したセグメント配置に戻る。
【００９２】
以上のように、実施例２によれば、部分受信用セグメント領域α及び固定受信用領域β２からなる部分受信帯域幅γのセグメントを、セグメント単位の周波数インターリーブ及び周波数デインターリーブの対象とするようにした。これにより、従来よりも広帯域なセグメントを対象とするから、周波数インターリーブの効果を向上させることができ、受信特性を改善することが可能となる。
【００９３】
尚、実施例２は、セグメント単位の周波数インターリーブを施す例であるが、さらに、セグメント内でキャリアランダマイズを行い、時間インターリーブ等を行うようにしてもよい。
【００９４】
〔実施例３〕
次に、実施例３について説明する。前述のとおり、実施例３は、部分受信帯域幅γのセグメントに設定されるデータに対し、キャリア単位の周波数インターリーブを施す例である。部分受信帯域幅γは、実施例１と同様に、図５に示したとおりとする。
【００９５】
（送信側／実施例３）
実施例３のインターリーブ規則には、インターリーブの種類としてキャリア単位の周波数インターリーブが予め設定されている。また、インターリーブ部１４について、周波数インターリーブの対象として部分受信帯域幅γのセグメント、位置、内容等の各種情報が予め設定されている。また、インターリーブ部１５について、周波数インターリーブの対象として固定受信用領域β１のセグメント、位置、内容等の各種情報が予め設定されている。
【００９６】
図１に示したＯＦＤＭ信号送信装置１−１において、インターリーブ部１４は、このインターリーブ規則に従い、部分受信帯域幅γの９セグメントのデータキャリアａ，ｂ２に対し、キャリア単位に周波数インターリーブを施す。
【００９７】
インターリーブ部１５は、このインターリーブ規則に従い、固定受信用領域β１の２４セグメントのデータキャリアｂ１に対し、キャリア単位に周波数インターリーブを施す。
【００９８】
図７は、実施例３におけるキャリア単位の周波数インターリーブの例を示す図である。図７（１）は、周波数インターリーブ前のキャリア配置を示し、図７（２）は、周波数インターリーブ後のキャリア配置を示す。
【００９９】
図７（１）に示すように、周波数インターリーブ前において、部分受信帯域幅γ内の部分受信用セグメント領域αには、実線の矢印に示すキャリアが配置され、固定受信用領域β２には、点線の矢印に示すキャリアが配置されている。また、部分受信帯域幅γ以外の固定受信用領域β１にも、図示しないキャリアが配置されている。
【０１００】
インターリーブ部１４における前述のインターリーブ規則に従い、部分受信帯域幅γの９セグメントを対象としたキャリア単位の周波数インターリーブにより、図７（１）に示した部分受信帯域幅γのキャリア配置は、図７（２）に示すキャリア配置に変わる。
【０１０１】
図７（２）に示すように、周波数インターリーブ後において、部分受信帯域幅γ内の部分受信用セグメント領域αには、実線の矢印に示すキャリア及び点線の矢印に示すキャリアが配置される。部分受信帯域幅γ内の固定受信用領域β２にも、実線の矢印に示すキャリア及び点線の矢印に示すキャリアが配置される。
【０１０２】
インターリーブ部１５における前述のインターリーブ規則に従い、固定受信用領域β１の２４セグメントを対象としたキャリア単位の周波数インターリーブにより、固定受信用領域β１のキャリア配置が変わる。
【０１０３】
（受信側／実施例３）
図２に示したＯＦＤＭ信号受信装置２−１の受信部２１は、実施例３のＯＦＤＭ信号送信装置１−１からＯＦＤＭ信号の放送波を受信する。
【０１０４】
実施例３のデインターリーブ規則には、デインターリーブの種類としてキャリア単位の周波数デインターリーブが予め設定されている。また、周波数デインターリーブの対象として、部分受信帯域幅γのセグメント、位置、内容等の各種情報が予め設定されている。
【０１０５】
デインターリーブ部２４は、このデインターリーブ規則に従い、部分受信用セグメント領域α及び固定受信用領域β２の復調信号に対し、キャリア単位に周波数デインターリーブを施す。これにより、部分受信用セグメント領域αのデータキャリアａに対応するＯＦＤＭフレームの復調信号及び固定受信用領域β２のデータキャリアｂ２に対応するＯＦＤＭフレームの復調信号が生成される。
【０１０６】
図７の例では、デインターリーブ部２４における前述のデインターリーブ規則に従い、部分受信帯域幅γの９セグメントを対象としたキャリア単位の周波数デインターリーブにより、図７（２）に示した部分受信帯域幅γのキャリア配置は、図７（１）に示したキャリア配置に戻る。
【０１０７】
以上のように、実施例３によれば、部分受信用セグメント領域α及び固定受信用領域β２からなる部分受信帯域幅γのセグメントを、キャリア単位の周波数インターリーブ及び周波数デインターリーブの対象とするようにした。これにより、従来よりも広帯域なセグメントを対象とするから、周波数インターリーブの効果を向上させることができ、受信特性を改善することが可能となる。
【０１０８】
尚、実施例３は、キャリア単位の周波数インターリーブを施す例であるが、さらに、セグメント内でキャリアランダマイズを行い、時間インターリーブ等を行うようにしてもよい。
【０１０９】
〔他のＯＦＤＭ信号送信装置〕
次に、本発明の他の実施形態によるＯＦＤＭ信号送信装置について説明する。図３は、本発明の他の実施形態によるＯＦＤＭ信号送信装置の構成例を示すブロック図である。このＯＦＤＭ信号送信装置１−２は、図１に示した送信アンテナ１０、キャリア変調部１１，１２から送信部１８までの構成部に加え、さらにＴＭＣＣ生成部１９を備えている。
【０１１０】
送信アンテナ１０、キャリア変調部１１，１２から送信部１８までの構成部については、既に図１にて説明済みであるから、ここでは説明を省略する。尚、フレーム化部１６は、後述するＴＭＣＣ生成部１９からＴＭＣＣ信号を入力し、ＴＭＣＣ信号が部分受信用セグメント領域α及び固定受信用セグメント領域βのそれぞれに設定されるように、ＴＭＣＣ信号も含めてフレーム化を行う。
【０１１１】
ＴＭＣＣ生成部１９は、分離規則、インターリーブ規則及び部分受信帯域情報等を変調し、ＴＭＣＣ信号を生成する。そして、ＴＭＣＣ生成部１９は、分離規則、インターリーブ規則及び部分受信帯域情報を含むＴＭＣＣ信号をフレーム化部１６に出力する。これにより、フレーム化部１６において、ＴＭＣＣ信号が部分受信用セグメント領域α及び固定受信用セグメント領域βのそれぞれに設定されるように、フレーム化が行われる。
【０１１２】
前述のとおり、分離規則は、分離対象の固定受信用領域β２を特定するための情報、具体的には、固定受信用領域β２のセグメント数、位置、セグメント番号、帯域等を定義した情報である。インターリーブ規則は、インターリーブの種類、対象、位置、内容等を定義した情報である。
【０１１３】
部分受信帯域情報は、部分受信帯域幅γに関し、部分受信用セグメント領域α及び固定受信用領域β２のセグメント数、位置、セグメント番号、帯域等の情報であり、チャンネルを構成する部分受信用セグメント領域α及び固定受信用セグメント領域βに関する情報も含まれる。
【０１１４】
以上のように、本発明の他の実施形態によるＯＦＤＭ信号送信装置１−２によれば、分離規則、インターリーブ規則及び部分受信帯域情報を含むＴＭＣＣ信号を送信するようにした。これにより、後述するＯＦＤＭ信号受信装置２−２は、ＴＭＣＣ信号に含まれる分離規則、インターリーブ規則及び部分受信帯域情報から、分離対象、インターリーブの逆の処理であるデインターリーブの種類等、部分受信帯域幅γのセグメント数等を判断することができる。
【０１１５】
したがって、ＯＦＤＭ信号送信装置１−１と同様の効果に加え、後述するＯＦＤＭ信号受信装置２−２に、ＯＦＤＭ信号送信装置１−２の分離規則、インターリーブ規則等に適用した処理を実現させることができる。
【０１１６】
〔他のＯＦＤＭ信号受信装置〕
次に、本発明の他の実施形態によるＯＦＤＭ信号受信装置について説明する。図４は、本発明の他の実施形態によるＯＦＤＭ信号受信装置の構成例を示すブロック図である。このＯＦＤＭ信号受信装置２−２は、図２に示した受信アンテナ２０、受信部２１からデフレーム化部２６までの構成部に加え、さらにＴＭＣＣ抽出部２７及びＴＭＣＣ復調部２８を備えている。
【０１１７】
受信アンテナ２０、受信部２１からデフレーム化部２６までの構成部については、既に図２にて説明済みであるから、ここでは説明を省略する。
【０１１８】
尚、ＦＦＴ部２２は、後述するＴＭＣＣ復調部２８から部分受信帯域情報を入力し、部分受信帯域情報が示す部分受信用セグメント領域α及び固定受信用領域β２に対応するサイズにてＦＦＴ処理を行う。また、復調部２３は、後述するＴＭＣＣ復調部２８から部分受信帯域情報を入力し、部分受信帯域情報が示す部分受信用セグメント領域α及び固定受信用領域β２の周波数領域の信号に対して復調処理を行う。
【０１１９】
また、デインターリーブ部２４は、後述するＴＭＣＣ復調部２８からインターリーブ規則を入力し、インターリーブ規則の逆のデインターリーブ規則に従い、デインターリーブ処理を行う。また、分離部２５は、後述するＴＭＣＣ復調部２８から分離規則を入力し、分離規則に従い、分離処理を行う。
【０１２０】
ＴＭＣＣ抽出部２７は、ＦＦＴ部２２から周波数領域の信号（部分受信用セグメント領域α及び固定受信用領域β２に対応するＯＦＤＭフレームのキャリア位置及びシンボル位置の信号）を入力する。そして、ＴＭＣＣ抽出部２７は、周波数領域の信号から、分離規則、インターリーブ規則及び部分受信帯域情報を含むＴＭＣＣ信号を抽出し、ＴＭＣＣ信号をＴＭＣＣ復調部２８に出力する。
【０１２１】
ＴＭＣＣ復調部２８は、ＴＭＣＣ抽出部２７からＴＭＣＣ信号を入力し、ＴＭＣＣ信号を復調することで、分離規則、インターリーブ規則及び部分受信帯域情報を生成する。そして、ＴＭＣＣ復調部２８は、部分受信帯域情報をＦＦＴ部２２及び復調部２３に出力し、インターリーブ規則をデインターリーブ部２４に出力し、分離規則を分離部２５に出力する。
【０１２２】
これにより、ＦＦＴ部２２において、部分受信帯域情報を用いてＦＦＴ処理が行われ、復調部２３において、部分受信帯域情報を用いて復調処理が行われる。また、デインターリーブ部２４において、インターリーブ規則の逆のデインターリーブ規則を用いてデインターリーブ処理が行われ、分離部２５において、分離規則を用いて分離処理が行われる。
【０１２３】
以上のように、本発明の他の実施形態によるＯＦＤＭ信号受信装置２−２によれば、ＴＭＣＣ信号を受信し、ＴＭＣＣ信号から分離規則、インターリーブ規則及び部分受信帯域情報を生成する。これにより、これらの情報から、分離対象、インターリーブの逆の処理であるデインターリーブの種類等、部分受信帯域幅γのセグメント数等を判断することができる。そして、これらの情報を用いて、ＦＦＴ、復調、デインターリーブ及び分離処理を行う。
【０１２４】
したがって、ＯＦＤＭ信号受信装置２−１と同様の効果に加え、ＯＦＤＭ信号送信装置１−２から受信したＴＭＣＣ信号を用いて、ＯＦＤＭ信号送信装置１−２に適用した処理を実現することができる。
【０１２５】
以上、実施例１〜３を挙げて本発明を説明したが、本発明は前記実施例１〜３に限定されるものではなく、その技術思想を逸脱しない範囲で種々変形可能である。例えば、図５〜図７では、１チャンネルあたり３３セグメントの構造において、部分受信帯域幅γが、部分受信用セグメント領域αの３セグメント及び固定受信用領域β２の６セグメントからなるように設定されている。しかし、部分受信帯域幅γは例示であり、本発明はこれに限定されるものではない。
【０１２６】
例えば、部分受信帯域幅γは、部分受信用セグメント領域αの３セグメントに加え、部分受信用セグメント領域βの６セグメントのうち、所定のセグメント内の所定のキャリア位置までの領域からなるように設定されるようにしてもよい。つまり、部分受信帯域幅γは、必ずしもセグメント単位の領域（セグメントにて区切られた領域）で設定されなくてもよく、セグメント内のキャリア位置にて区切られた領域で設定されるようにしてもよい。
【０１２７】
また、図１〜図４に示したＯＦＤＭ信号送信装置１−１，１−２及びＯＦＤＭ信号受信装置２−１，２−２では、送信側に１本の送信アンテナ１０を備え、受信側にも１本の受信アンテナ２０を備えるようにした。これに対し、本発明は、送信側に複数の送信アンテナを備え、受信側にも複数の受信アンテナを備えたＭＩＭＯ（Multiple Input Multiple Output）伝送システムにも適用がある。この場合、送信側のＯＦＤＭ信号送信装置は、図１及び図３に示した送信系統を複数の送信アンテナのそれぞれに対応して複数系統備える。受信側のＯＦＤＭ信号受信装置は、複数の受信アンテナを介して受信したそれぞれの受信信号をＭＩＭＯ復調する。
【符号の説明】
【０１２８】
１  ＯＦＤＭ信号送信装置
２  ＯＦＤＭ信号受信装置
１０  送信アンテナ
１１，１２  キャリア変調部
１３  分離部
１４，１５  インターリーブ部
１６  フレーム化部
１７  ＩＦＦＴ部
１８  送信部
１９  ＴＭＣＣ生成部
２０  受信アンテナ
２１  受信部
２２  ＦＦＴ部
２３  復調部
２４  デインターリーブ部
２５  分離部
２６  デフレーム化部
２７  ＴＭＣＣ抽出部
２８  ＴＭＣＣ復調部
【図１】
0006687460.tif 000002
【図２】
0006687460.tif 000003
【図３】
0006687460.tif 000004
【図４】
0006687460.tif 000005
【図５】
0006687460.tif 000006
【図６】
0006687460.tif 000007
【図７】
0006687460.tif 000008
【図８】
0006687460.tif 000009